(57)【特許請求の範囲】
【請求項１】
アップストリーム監視点又は監視センタによって実行される、インターネットプロトコルテレビジョンＩＰＴＶ障害を発見する方法であって、
アップストリーム評価結果を取得するステップであって、前記アップストリーム評価結果は監視されるＩＰＴＶビデオストリームに対する前記アップストリーム監視点による同期メッセージにより実行される同期評価から得られ、前記同期メッセージは同期パケット情報、評価方法、及び評価期間を含み、同期パケット情報は同期パケットを一意的に特定する同期識別子を含み、同期パケットはＩＰＴＶビデオから選択したメディアパケットであるステップであって、前記評価方法は、前記同期メッセージを受信する監視点に、前記ＩＰＴＶビデオストリームの評価をいかに行うかを知らせるために用いられ、前記同期パケットを始めとして、前記評価は、前の評価期間が終了した後、最初に満たされたキーフレームから評価を始め、最初の評価期間の評価結果を、この同期パケットの最初の評価結果とすることを備える、ステップと、
ダウンストリーム監視点により送信された評価結果レポートメッセージを受信するステップであって、前記評価結果レポートメッセージにはダウンストリーム評価結果、評価結果識別子、及び同期パケット情報が含まれるステップと、
ダウンストリーム監視点により送信された評価結果レポートメッセージ中の同期パケット情報と評価結果識別子とにより、ダウンストリーム評価結果に対応するアップストリーム評価結果を発見するステップと、
ダウンストリーム評価結果をアップストリーム評価結果と比較し、比較結果により障害発見を行うステップとを有する、方法。
【請求項２】
前記同期メッセージにより、前記監視されるＩＰＴＶビデオストリームに対して同期評価を行う前に、
前記ＩＰＴＶビデオストリームのＩＰＴＶヘッドエンド監視点により送信された同期メッセージを受信するステップであって、前記ＩＰＴＶヘッドエンド監視点はＩＰＴＶビデオストリームが最初に通る監視点であるステップをさらに有する、
請求項１に記載のＩＰＴＶ障害を発見する方法。
【請求項３】
前記同期メッセージにより、前記監視されるＩＰＴＶビデオストリームに対して同期評価を行う前に、
前記同期パケットとして、前記ＩＰＴＶビデオストリームからメディアパケットを選択するステップと、前記同期識別子と、前記同期識別子を含む同期パケット情報とを決定するステップと、前記評価方法と評価期間と同期メッセージとを設定するステップとを有する、
請求項１または２に記載のＩＰＴＶ障害を発見する方法。
【請求項４】
前記ダウンストリーム監視点により送信された同期応答メッセージを受信するステップであって、前記同期応答メッセージは初期評価パケット情報と前記同期パケット情報とを含むステップと、
前記同期パケット情報及び初期評価パケット情報を、それぞれローカルの同期パケット情報及び初期評価パケット情報と比較し、それらが一致するか判断するステップと、
前記同期パケット情報または初期評価パケット情報のいずれかが一貫しないとき、前記ダウンストリーム監視点に新しい同期メッセージを送信するステップであって、前記新しい同期メッセージは新しい評価方法を含むステップとを有する、
請求項３に記載のＩＰＴＶ障害を発見する方法。
【請求項５】
前記ＩＰＴＶビデオストリームのＩＰＴＶヘッドエンド監視点により送信された同期メッセージを受信した後、
前記ダウンストリーム監視点に前記同期メッセージを送信するステップをさらに有し、  前記ダウンストリーム評価結果を前記アップストリーム評価結果と比較する前に、
前記アップストリーム監視点により送信された同期パケット情報を受信する、前記アップストリーム監視点はＩＰＴＶヘッドエンド監視点を有するステップを有する、
請求項２に記載のＩＰＴＶ障害を発見する方法。
【請求項６】
前記ダウンストリーム評価結果は、さらに、評価レンジ内のパケットに関する情報と、前記評価レンジ内のネットワークレイヤインジケータとを有し、前記方法は、さらに、
前記ダウンストリーム監視点の評価レンジが前記評価レンジ内のパケットに関する情報により、ローカル評価レンジと一貫しているか判断するステップと、
前記ダウンストリーム監視点の評価レンジが前記ローカル評価レンジと一貫している場合、前記ダウンストリーム評価結果のビデオ品質評価値を前記アップストリーム評価結果のビデオ品質評価値と比較するステップと、
前記ダウンストリーム監視点の評価レンジが前記ローカル評価レンジと一貫していない場合、前記ダウンストリーム評価結果の評価レンジ内のネットワークレイヤインジケータを、前記対応するローカル評価レンジ内のネットワークレイヤインジケータと比較し、障害発見を行うステップとを有する、
請求項１ないし５いずれか一項に記載のＩＰＴＶ障害を発見する方法。
【請求項７】
インターネットプロトコルテレビジョンＩＰＴＶ障害を発見する方法であって、
アップストリーム監視点または監視センタにより送信された同期メッセージを受信するステップであって、前記同期メッセージは同期パケット情報と評価方法と評価期間とを含み、前記同期パケット情報は同期パケットを一意的に特定する同期識別子を含み、前記同期パケットは監視されたＩＰＴＶビデオストリームから選択されたメディアパケットであって、前記評価方法は、前記同期メッセージを受信する監視点に、前記ＩＰＴＶビデオストリームの評価をいかに行うかを知らせるために用いられ、前記同期パケットを始めとして、前記評価は、前の評価期間が終了した後、最初に満たされたキーフレームから評価を始め、最初の評価期間の評価結果を、この同期パケットの最初の評価結果とすることを備える、ステップと、
前記同期メッセージにより前記ＩＰＴＶビデオストリームに対して同期評価を行い、ダウンストリーム評価結果を取得するステップと、
前記アップストリーム監視点または監視センタに評価結果レポートメッセージを送信するステップであって、前記評価結果レポートメッセージはダウンストリーム評価結果と評価結果識別子と同期パケット情報とを含み、アップストリーム監視点または監視センタが、同期パケット情報と評価結果識別子とにより、ダウンストリーム評価結果に対応するアップストリーム評価結果を見つけ、ダウンストリーム評価結果をアップストリーム評価結果と比較し、比較結果により障害発見を実行するステップとを有する、
方法。
【請求項８】
アップストリーム監視点または監視センタにより送信された同期メッセージを受信した後、さらに、
前記監視センタまたは前記アップストリーム監視点のＩＰＴＶヘッドエンド監視点に同期応答メッセージを送信するステップであって、前記同期応答メッセージは同期パケット情報と初期評価パケット情報とを含み、前記ＩＰＴＶヘッドエンド監視点または監視センタが、同期パケット情報と初期評価パケット情報をアップストリーム監視点の同期パケット情報及び初期評価パケット情報とそれぞれ比較して、それらが一貫しているか判断するようにするステップと、
一貫しているとき、前記ＩＰＴＶヘッドエンド監視点により直接送信された、または前記監視センタにより転送された新しい同期メッセージを受信する、前記新しい同期メッセージは新しい評価方法を含むステップとを有する、
請求項７に記載のＩＰＴＶ障害を発見する方法。
【請求項９】
評価結果レポートメッセージに、評価レンジ内のパケットに関する情報と、前記評価レンジ内のネットワークレイヤインジケータとを設定するステップであって、前記評価結果レポートメッセージはアップストリーム監視点または監視センタに送信され、評価レンジ内のパケットに関する情報により、ローカル評価レンジがアップストリーム監視点の評価レンジと一貫しているか、アップストリーム監視点または監視センタが判断するようにするステップと、
前記アップストリーム監視点の評価レンジが前記ローカル評価レンジと一貫している場合、前記ダウンストリーム評価結果のビデオ品質評価値を前記アップストリーム評価結果のビデオ品質評価値と比較するステップと、
前記アップストリーム監視点の評価レンジが前記ローカル評価レンジと一貫していない場合、ダウンストリーム評価結果の評価レンジ内のネットワークレイヤインジケータを、アップストリーム監視点の対応する評価レンジ内のネットワークレイヤインジケータと比較し、ＩＰＴＶ障害の箇所を決定するステップとを有する、
請求項７または８に記載のＩＰＴＶ障害を発見する方法。
【請求項１０】
インターネットプロトコルテレビジョンＩＰＴＶ障害を発見する装置であって、
アップストリーム評価結果を取得するように構成された同期評価器であって、アップストリーム評価結果は、監視されるＩＰＴＶビデオストリームにアップストリーム監視点により同期メッセージにより同期して実行される評価から得られ、同期メッセージは同期パケット情報と評価方法と評価期間とを含み、同期パケット情報は同期パケットを一意的に特定する同期識別子を含み、同期パケットはＩＰＴＶビデオから選択したメディアパケットであって、前記評価方法は、前記同期メッセージを受信する監視点に、前記ＩＰＴＶビデオストリームの評価をいかに行うかを知らせるために用いられ、前記同期パケットを始めとして、前記評価は、前の評価期間が終了した後、最初に満たされたキーフレームから評価を始め、最初の評価期間の評価結果を、この同期パケットの最初の評価結果とすることを備える、前記同期評価器と、
ダウンストリーム監視点により送信された評価結果レポートメッセージを受信するように構成された評価結果受信器であって、評価結果レポートメッセージはダウンストリーム評価結果と評価結果識別子と同期パケット情報とを含む評価結果受信器と、
ダウンストリーム監視点により送信された評価結果レポートメッセージ中の同期パケット情報と評価結果識別子とにより、ダウンストリーム評価結果に対応するアップストリーム評価結果を見つけるように構成された評価結果問合器と、
ダウンストリーム評価結果をアップストリーム評価結果と比較し、その比較結果により障害発見を実行するように構成された障害発見器とを有する、
装置。
【請求項１１】
前記同期評価器は、さらに、監視されるＩＰＴＶビデオストリームに同期メッセージにより同期評価が行われる前に、ＩＰＴＶビデオストリームのＩＰＴＶヘッドエンド監視点により送信された同期メッセージを受信するように構成され、ＩＰＴＶヘッドエンド監視点はＩＰＴＶビデオストリームが最初に通る監視点である、
請求項１０に記載のＩＰＴＶ障害を発見する装置。
【請求項１２】
前記同期パケットとして、前記ＩＰＴＶビデオストリームからメディアパケットを選択するステップと、前記同期識別子と、前記同期識別子を含む同期パケット情報とを決定するステップと、前記評価方法と評価期間と同期メッセージとを設定するように構成された同期メッセージ設定器をさらに有する、
請求項１０または１１に記載のＩＰＴＶ障害を発見する装置。
【請求項１３】
同期比較器であって、ダウンストリーム監視点により送信された同期応答メッセージを受信し、同期応答メッセージは初期評価パケット情報と同期パケット情報とを含み、
同期パケット情報及び初期評価パケット情報を、それぞれローカルの同期パケット情報及び初期評価パケット情報と比較し、それらが一致するか判断し、
同期パケット情報または初期評価パケット情報のいずれかが一致しないとき、ダウンストリーム監視点に新しい同期メッセージを送信し、新しい同期メッセージは新しい評価方法を含む、ように構成された前記同期比較器をさらに有する、請求項１２に記載のＩＰＴＶ障害を発見する装置。
【請求項１４】
ＩＰＴＶビデオストリームのＩＰＴＶヘッドエンド監視点により送信された同期メッセージを受信した後、ダウンストリーム監視点に同期メッセージを送信するように構成された同期メッセージフォワーダをさらに有し、
前記同期評価器は、アップストリーム監視点により送信された同期パケット情報を受信するように構成され、アップストリーム監視点はＩＰＴＶヘッドエンド監視点を含む、
請求項１１に記載のＩＰＴＶ障害を発見する装置。
【請求項１５】
インターネットプロトコルテレビジョンＩＰＴＶ障害を発見する装置であって、
アップストリーム監視点または監視センタにより送信された同期メッセージを受信するように構成された同期メッセージ受信器であって、同期メッセージは同期パケット情報と評価方法と評価期間とを含み、同期パケット情報は同期パケットを一意的に特定する同期識別子を含み、同期パケットは監視されたＩＰＴＶビデオストリームから選択されたメディアパケットであって、前記評価方法は、前記同期メッセージを受信する監視点に、前記ＩＰＴＶビデオストリームの評価をいかに行うかを知らせるために用いられ、前記同期パケットを始めとして、前記評価は、前の評価期間が終了した後、最初に満たされたキーフレームから評価を始め、最初の評価期間の評価結果を、この同期パケットの最初の評価結果とすることを備える、前記同期メッセージ受信器と、
同期メッセージにより、ＩＰＴＶビデオストリームに対して同期した評価を実行して、ダウンストリーム評価結果を取得するように構成された同期評価器と、
アップストリーム監視点または監視センタに評価結果レポートを送信するように構成された評価結果レポータであって、評価結果レポートメッセージはダウンストリーム評価結果と評価結果識別子と同期パケット情報とを含み、同期パケット情報と評価結果とにより、アップストリーム監視点または監視センタが、ダウンストリーム評価結果に対応するアップストリーム評価結果を見つけ、ダウンストリーム評価結果をアップストリーム評価結果と比較し、比較結果により障害発見を実行するようにする、評価結果レポータとを有する、
装置。
【発明の詳細な説明】
【技術分野】
【０００１】
本発明は、通信技術に関し、具体的にはＩＰＴＶ障害を見つける方法、装置及びシステムに関する。
【背景技術】
【０００２】
フレキシブルなサービス機能とパーソナルサービスにより、インターネットプロトコルテレビジョン（ＩＰＴＶ）は近年急速に発展している。ＩＰＴＶサービスのビデオ品質を効果的に監視し、ＩＰＴＶサービスのスムースな実行を確保し、カスタマーサティスファクションと安定したビデオ体験を提供することが必要である。
【０００３】
先行技術では、ＩＰＴＶビデオ品質監視は、ビデオストリームの伝送経路の複数の監視点の設定を言う。これらの監視点は送信時にビデオストリームが通る、端末やルータなどの装置であっても、ビデオストリームの伝送経路に特に設置されたビデオ品質監視装置であってもよい。監視点は監視されるビデオストリームをリアルタイムでキャプチャし、ビデオストリームのビデオパラメータを分析することにより、ビデオ品質に関する評価結果を取得し、評価結果を監視センタに報告する。ビデオ品質が設定された閾値まで低下すると、監視センタは警報を発し、運用及び保守の人員が評価結果を分析し、障害が発生した場所を探す。
【０００４】
従来のＩＰＴＶビデオ品質監視には次の技術的問題がある。ビデオ品質監視のとき、単一点監視が用いられ、監視点がその場所で（locally）監視しているビデオの品質が悪くなったかのみを分析する；しかし、アップストリーム／ダウンストリームの関係を有する２つの監視点が両方ともビデオ品質が悪化したことを見いだすと、その２つの監視点間に障害があるのか、例えばその２つの監視点間の場所でパケットロスやジッタなどの障害が起こっているのか、判断することができない。すなわち現在のビデオ品質監視は、リアルタイム監視の評価結果から直接的に障害の場所を見つけることはできず、運用及び保守の効率が高くない。
【発明の概要】
【発明が解決しようとする課題】
【０００５】
本発明は、ＩＰＴＶ障害発見のインプリメントと動作及び維持効率の向上を目的として、ＩＰＴＶ障害を発見する方法、装置、及びシステムを提供する。
【課題を解決するための手段】
【０００６】
本発明の第１の態様は、インターネットプロトコルテレビジョンＩＰＴＶ障害を発見する方法を提供する。該方法は、アップストリーム評価結果を取得するステップであって、前記アップストリーム評価結果は監視されるＩＰＴＶビデオストリームに対するアップストリーム監視点による同期メッセージにより実行される同期評価から得られ、前記同期メッセージは同期パケット情報、評価方法、及び評価期間を含み、同期パケット情報は同期パケットを一意的に特定する同期識別子を含み、同期パケットはＩＰＴＶビデオから選択したメディアパケットであるステップと、ダウンストリーム監視点により送信された評価結果レポートメッセージを送信するステップであって、前記評価結果レポートメッセージにはダウンストリーム評価結果、評価結果識別子、及び動機パケット情報が含まれるステップと、ダウンストリーム監視点により送信された評価結果レポートメッセージ中の同期パケット情報と評価結果識別子とにより、ダウンストリーム評価結果に対応するアップストリーム評価結果を発見するステップと、ダウンストリーム評価結果をアップストリーム評価結果と比較し、比較結果により障害発見を行うステップとを有する。
【０００７】
本発明の第２の態様は、ＩＰＴＶ障害を発見する他の方法を提供する。該方法は、アップストリーム監視点または監視センタにより送信された同期メッセージを受信するステップであって、前記同期メッセージは同期パケット情報と評価方法と評価期間とを含み、前記同期パケット情報は同期パケットを一意的に特定する同期識別子を含み、前記同期パケットは監視されたＩＰＴＶビデオストリームから選択されたメディアパケットであるステップと、前記同期メッセージにより前記ＩＰＴＶビデオストリームに対して同期評価を行い、ダウンストリーム評価結果を取得するステップと、前記アップストリーム監視点または監視センタに評価結果レポートメッセージを送信するステップであって、前記評価結果レポートメッセージはダウンストリーム評価結果と評価結果識別子と同期パケット情報とを含み、アップストリーム監視点または監視センタが、同期パケット情報と評価結果識別子とにより、ダウンストリーム評価結果に対応するアップストリーム評価結果を見つけ、ダウンストリーム評価結果をアップストリーム評価結果と比較し、比較結果により障害発見を実行するステップとを有する。
【０００８】
本発明の第３の態様は、ＩＰＴＶ障害を発見する装置を提供する。該装置は、アップストリーム評価結果を取得するように構成された同期評価器であって、アップストリーム評価結果は、監視されるＩＰＴＶビデオストリームにアップストリーム監視点により同期メッセージにより同期して実行される評価から得られ、同期メッセージは同期パケット情報と評価方法と評価期間とを含み、同期パケット情報は同期パケットを一意的に特定する同期識別子を含み、同期パケットはＩＰＴＶビデオから選択したメディアパケットである同期評価器と、ダウンストリーム監視点により送信された評価結果レポートメッセージを受信するように構成された評価結果受信器であって、評価結果レポートメッセージはダウンストリーム評価結果と評価結果識別子と同期パケット情報とを含む評価結果受信器と、ダウンストリーム監視点により送信された評価結果レポートメッセージ中の同期パケット情報と評価結果識別子とにより、ダウンストリーム評価結果に対応するアップストリーム評価結果を見つけるように構成された評価結果問合器と、ダウンストリーム評価結果をアップストリーム評価結果と比較し、その比較結果により障害発見を実行するように構成された障害発見器とを有する。
【０００９】
本発明の第４の態様は、ＩＰＴＶ障害を発見する他の装置を提供する。該装置は、アップストリーム監視点または監視センタにより送信された同期メッセージを受信するように構成された同期メッセージ受信器であって、同期メッセージは同期パケット情報と評価方法と評価期間とを含み、同期パケット情報は同期パケットを一意的に特定する同期識別子を含み、同期パケットは監視されたＩＰＴＶビデオストリームから選択されたメディアパケットである、同期メッセージ受信器と、同期メッセージにより、ＩＰＴＶビデオストリームに対して同期した評価を実行して、ダウンストリーム評価結果を取得するように構成された同期評価器と、アップストリーム監視点または監視センタに評価結果レポートを送信するように構成された評価結果レポータであって、評価結果レポートメッセージはダウンストリーム評価結果と評価結果識別子と同期パケット情報とを含み、同期パケット情報と評価結果とにより、アップストリーム監視点または監視センタが、ダウンストリーム評価結果に対応するアップストリーム評価結果を見つけ、ダウンストリーム評価結果をアップストリーム評価結果と比較し、比較結果により障害発見を実行するようにする、評価結果レポータとを有する。
【００１０】
本発明の第５の態様は、ＩＰＴＶ障害を発見するシステムであって、評価発見装置とダウンストリーム監視点とを含むシステムを提供する。
【００１１】
評価発見装置は、複数のアップストリーム評価結果を取得し、アップストリーム評価結果は監視されるＩＰＴＶビデオストリームに対するアップストリーム監視点による同期メッセージにより実行される同期評価から得られ、同期メッセージは同期パケット情報と評価方法と評価期間とを含み、同期パケット情報は同期パケットを一意的に特定する同期識別子を含み、同期パケットはＩＰＴＶビデオから選択したメディアパケットであり、ダウンストリーム監視点により送信された評価結果レポートメッセージを送信し、評価結果レポートメッセージにはダウンストリーム評価結果、評価結果識別子、及び動機パケット情報が含まれ、ダウンストリーム監視点により送信された評価結果レポートメッセージ中の同期パケット情報と評価結果識別子とにより、ダウンストリーム評価結果に対応するアップストリーム評価結果を発見し、ダウンストリーム評価結果をアップストリーム評価結果と比較し、比較結果により障害発見を行うように構成されている。
【００１２】
ダウンストリーム監視点は、同期メッセージを受信し、その同期メッセージにより、ＩＰＴＶビデオストリームに同期した評価を行ってダウンストリーム評価結果を取得し、アップストリーム監視点または監視センタに評価結果レポートメッセージを送信するように構成されている。
【００１３】
本発明により提供されるＩＰＴＶ障害を発見する方法、装置、及びシステムによれば、アップストリーム監視点のアップストリーム評価結果とダウンストリーム監視点のダウンストリーム評価結果とを比較することにより、２つの監視点間の領域に障害があるか判断でき、それによりＩＰＴＶ障害発見を実装し、人件費及び材料費を節約し、生涯発見の効率を向上できる。
【図面の簡単な説明】
【００１４】
本発明の実施形態または先行技術の技術的解決手段をより明確に説明するため、以下に実施形態または先行技術を説明するのに必要な添付図面を簡単に説明する。言うまでもなく、以下に説明する添付図面は、本発明の実施形態を示し、本技術分野の当業者は、創作的努力をせずとも、これらの添付図面から他の図面に想到することもできるだろう。
【図１】本発明によるＩＰＴＶ障害を見つける方法の一実施形態を示すフローチャートである。
【図２】本発明によるＩＰＴＶ障害を見つける方法の他の一実施形態を示すフローチャートである。
【図３】本発明によるＩＰＴＶ障害を見つける方法のさらに他の一実施形態を示すフローチャートである。
【図４】本発明によるＩＰＴＶ障害を見つける方法の一実施形態における同期メッセージを送信する方法を示す図である。
【図５】本発明によるＩＰＴＶ障害を見つける方法の一実施形態における同期メッセージを送信する他の方法を示す図である。
【図６】本発明によるＩＰＴＶ障害を見つける方法の一実施形態における評価結果配信を示す図である。
【図７】本発明によるＩＰＴＶ障害を見つける方法の一実施形態における評価結果を示す図である。
【図８】本発明によるＩＰＴＶ障害を見つける方法の一実施形態における同期応答を示す図である。
【図９】本発明によるＩＰＴＶ障害を見つける方法の一実施形態における評価結果レポートメッセージを示す図である。
【図１０】本発明によるＩＰＴＶ障害を見つける方法の一実施形態における評価結果レポートメッセージを送信する方法を示す図である。
【図１１】本発明によるＩＰＴＶ障害を見つける方法の一実施形態における評価結果レポートメッセージを送信する他の一方法を示す図である。
【図１２】本発明によるＩＰＴＶ障害を見つける方法の一実施形態における評価結果の比較を示す図である。
【図１３】本発明によるＩＰＴＶ障害を見つける方法の一実施形態における、評価レンジが一致したとき、障害を見つける方法を示すフローチャートである。
【図１４】本発明によるＩＰＴＶ障害を見つける方法の一実施形態における、評価レンジが一致しないとき、障害を見つける方法を示すフローチャートである。
【図１５】本発明によるＩＰＴＶ障害を見つける方法のさらに他の一実施形態を示すフローチャートである。
【図１６】本発明によるＩＰＴＶ障害を見つける方法のさらに他の一実施形態における集中障害発見を示す図である。
【図１７】本発明によるＩＰＴＶ障害を見つける装置の一実施形態を示す構造図である。
【図１８】本発明によるＩＰＴＶ障害を見つける装置の他の一実施形態を示す構造図である。
【図１９】本発明によるＩＰＴＶ障害を見つける装置のさらに他の一実施形態を示す構造図である。
【図２０】本発明によるＩＰＴＶ障害を見つける装置のさらに他の一実施形態を示す構造図である。
【図２１】本発明によるＩＰＴＶ障害を見つけるシステムの一実施形態を示す構造図である。
【発明を実施するための形態】
【００１５】
本発明の目的、技術的解決手段、実施形態の効果をより理解しやすくするため、以下に、本発明の実施形態の添付図面を参照して、本発明の実施形態の技術的解決手段を明確かつ完全に説明する。言うまでもなく、説明する実施形態は、本発明の実施形態のすべてではなく、一部だけである。本技術分野の当業者によって創作的努力を要せずに本発明の実施形態に基づき得られる他の実施形態はすべて、本発明の保護範囲内に入る。
【００１６】
実施形態１
この実施形態の方法は、ＩＰＴＶビデオストリームのアップストリーム監視点により実行できる。複数の監視点は、伝送経路のアップストリームに配置されたアップストリーム監視点と、伝送経路のダウンストリームに配置されたダウンストリーム監視点とを含む、ＩＰＴＶビデオストリームの伝送経路に配置される。
【００１７】
留意点として、本発明のどの実施形態においても、アップストリーム監視点とダウンストリーム監視点の「アップストリーム」と「ダウンストリーム」は相対的なコンセプトである；すなわち、ＩＰＴＶビデオストリームの伝送経路に沿って、ビデオストリームが時間的に前に流れる監視点がアップストリーム監視点と呼ばれ、ビデオストリームが時間的に後に流れる監視点がダウンストリーム監視点と呼ばれる。それゆえ、アップストリームの場合、伝送経路の監視点の一つはダウンストリーム監視点であり、ダウンストリームの場合、伝送経路の監視点の一つはアップストリーム監視点である。
【００１８】
しかし、ＩＰＴＶヘッドエンド監視点は単に同期メッセージ（同期メッセージは後で詳しく説明する）を生成する監視点であり、ＩＰＴＶヘッドエンド監視点はＩＰＴＶビデオストリームが最初に流れる監視点であり、すなわちＩＰＴＶビデオストリームの伝送経路においてＩＰＴＶヘッドエンドに密に隣接する監視点である。また、ＩＰＴＶヘッドエンド監視点は、アップストリーム監視点とも呼ばれ、すなわちこの実施形態におけるアップストリーム監視点はＩＰＴＶヘッドエンド監視点を含む。
【００１９】
ＩＰＴＶヘッドエンド監視点は、同期メッセージを生成した後、ＩＰＴＶビデオストリームの伝送経路における他の監視点すべてに直接的に同期メッセージを送信する。この場合には、ＩＰＴＶヘッドエンド監視点にとって、他のすべての監視点はダウンストリーム監視点である；または、ＩＰＴＶヘッドエンド監視点は、監視センタを通して伝送経路の他のすべての監視点に同期メッセージを転送してもよい；または、ＩＰＴＶヘッドエンド監視点は、密に隣接したダウンストリーム監視点に同期メッセージを送信し、同期メッセージはその密に隣接したダウンストリーム監視点により次の監視点に伝送され、一監視点から他の一監視点に連続的に伝送される。
【００２０】
したがって、同期メッセージを受信した後、ＩＰＴＶビデオストリームの伝送経路中の各監視点は、ＩＰＴＶヘッドエンド監視点に同期応答メッセージを返してもよい。ここで、同期応答メッセージは初期評価パケット情報と同期パケット情報とを含む。ＩＰＴＶヘッドエンド監視点は、同期パケット情報及び初期評価パケット情報を、それぞれローカルの同期パケット情報及び初期評価パケット情報と比較し、それらが一致するか判断する；同期パケット情報または初期評価パケット情報のいずれかが一致しないとき、ダウンストリーム監視点に新しい同期メッセージを送信し、ここで新しい同期メッセージは新しい評価方法を含む。
【００２１】
同期メッセージを定期的に送信して、各監視点間のリアルタイム評価の整合性を確保してもよい。同期メッセージは同期パケット情報と、評価方法と、評価期間とを含む。同期パケット情報は、同期パケットを一意的に特定する同期識別子を含み、同期パケット情報は、これに基づいて、同期パケット情報は、同期パケットをさらに含む。ここで、同期パケットは、アップストリーム監視点により、監視されるＩＰＴＶビデオストリームから選択されたメディアパケットである。
【００２２】
例えば、ビデオのメディアパケットの場合、メディアパケットがＲＴＰで生成され、ＲＴＰシーケンス番号が同期識別子として使われる。非ＲＴＰで生成されたが、ＲＴＰシーケンス番号と似た機能を有するフィールドを有するメディアパケットの場合、そのフィールドを同期識別子として用いても良い。例えば、ＴＣＰにより直接送信されるメディアパケットの場合、ＴＣＰパケットのシーケンス番号を同期識別子として用いても良い。非ＲＴＰで生成され、ＲＴＰシーケンスと同様の機能を有する関連フィールドが無いメディアパケットの場合、同期パケットはメディアパケット全体の特性またはカプセル化されたメディアコンテンツの特性により決定される。例えば、パケットのＣＲＣチェック値やＨＡＳＨ値などを計算し、同期パケットを計算により求めた値を用いて規定し、または同期パケットをメディアパケットにカプセル化されたクロック値（もしあれば）などにより規定する。
【００２３】
評価方法は、同期パケットに基づく評価方法であり、使用する評価アルゴリズムにより決められ、ダウンストリーム監視点に、ＩＰＴＶビデオストリームの評価をいかに行うかを知らせることを目的とする。例えば、評価方法は次の通りである：同期パケットを始めとして、前の評価期間が終了した後、最初に満たされたキーフレームから評価を始め、評価結果をこの同期の最初の評価結果とする。
【００２４】
評価アルゴリズムは、評価期間内に全体的な評価結果値を与える必要がある。すなわち、一評価期間は一評価結果に対応し、各評価結果は番号付けられ、その番号が評価結果識別子とされる。例えば、評価期間は１０ｓごとに一評価である。
【００２５】
この実施形態では、アップストリーム監視点はダウンストリーム監視点に同期メッセージを送信し、ダウンストリーム監視点が同期識別子によりＩＰＴＶビデオストリームを同期評価するようにする。すなわち、ＩＰＴＶビデオストリームは多くのビデオパケットを含み、ダウンストリーム監視点とアップストリーム監視点はＩＰＴＶビデオストリームの同じパケットを評価しなければならず、ダウンストリーム監視点により得られたダウンストリーム評価結果をアップストリーム評価結果と比較して、ＩＰＴＶ障害の場所を決定する。
【００２６】
評価を行うとき、ダウンストリーム監視点は同期メッセージによりＩＰＴＶビデオストリームの評価をする。例えば、同期パケット情報の同期識別子は、「最初のＲＴＰシーケンス番号期間においてＲＴＰシーケンス番号が３のパケット」であり、評価方法は、「同期パケットを始めとして、前の表か期間の終了後最初に来たキーフレームで評価を開始し、その評価結果をこの同期の最初の評価結果とする」であり、評価期間は「１０ｓ」である。これに基づき、ダウンストリーム監視点が取る評価方法は次の通りである：最初のＲＴＰシーケンス番号期間でＲＴＰシーケンス番号が３であるパケットを始めとし、前の評価期間が終わってから最初に来たキーフレームから評価を始め、１０ｓの評価後に得られた評価結果をこの同期の最初の評価結果とし、評価結果識別子を「第１評価結果」として設定する。ダウンストリーム監視点は評価結果レポートメッセージを送信する。評価結果レポートメッセージは取得されたダウンストリーム評価結果を含み、さらに評価結果識別子と、ダウンストリーム監視点が評価を行う際に従う同期パケット情報とを含む。
【００２７】
前の評価結果レポートメッセージは、アップストリーム監視点または監視センタに送信される。すなわち、ダウンストリーム評価結果とアップストリーム評価結果を比較する処理は、アップストリーム監視点または監視センタにより行われても良い。アップストリーム監視点により行われる場合、アップストリーム監視点は、同期パケット情報と評価結果識別子により、ダウンストリーム評価結果に対応するアップストリーム評価結果を見つけ、互いに比較し、比較結果により障害発見（fault  locating）を行う。この場合、評価結果は、ＩＰＴＶビデオストリームの同じパケットのアップストリーム監視点とダウンストリーム監視点により行われ、比較される。それゆえ、それらは比較可能である。
【００２８】
例えば、アップストリーム監視点のアップストリーム評価結果が悪化していない、またはアップストリーム評価結果の悪化度がダウンストリーム評価結果の悪化度より低い場合、アップストリーム監視点とダウンストリーム監視点との間で障害が発生していると判断でき、これによりＩＰＴＶ障害発見を実装できる。具体的に、評価結果の比較をするとき、評価結果のビデオ品質評価値を比較する；「悪化」はアップストリーム監視点自体により判断される。具体例として、ある評価方法を用いてＩＰＴＶビデオストリームを評価する場合、ＩＰＴＶビデオストリームの理想的なビデオ品質評価値が１００であり、アップストリーム監視点がこの評価方法を用いてＩＰＴＶビデオストリームを評価してビデオ品質評価値８０を得たとすると、アップストリーム監視点自体はＩＰＴＶビデオストリームの評価結果で悪化していると判断することがある（８０は理想値１００より低い）。
【００２９】
ダウンストリーム監視点が評価を行うとき、方法は前の原理と同じであるべきである。また、ダウンストリーム監視点自体は、ビデオ品質評価結果に対して閾値を設定してもよい。その閾値が６０であると仮定する。評価で得られたビデオ品質評価値が７０である場合、７０は閾値より高く、これはＩＰＴＶビデオストリームには障害が発生していないことを示す；評価で得られたビデオ品質評価値が５０である場合、５０は閾値より低く、これはＩＰＴＶビデオストリームには障害が発生することを示す。アップストリーム監視点をダウンストリーム監視点と比較したとき、比較されるのはそれらのビデオ品質評価値である。アップストリーム評価から得られるビデオ品質評価値が８０スコアであり、ダウンストリーム評価から得られるビデオ品質評価値が７０スコアであるとすると、これはアップストリーム評価結果の悪化度がダウンストリーム評価結果の悪化度より低いことを示す。
【００３０】
この実施形態における同期メッセージは、アップストリーム監視点から隣接のダウンストリーム監視点に送信され、２つの隣接する監視点間の障害がしかるべく発見される。同期メッセージは、アップストリーム監視点から隣接していないダウンストリーム監視点にも送信され、２つの隣接していない監視点間の障害がしかるべく発見される。すなわち、同期監視は、２つの隣接する監視点には限定されず、アップストリーム監視点はダウンストリームのどの監視点に同期メッセージを送信してもよい。
【００３１】
また、この実施形態及びこの後の実施形態によれば、アップストリーム監視点Ａはダウンストリーム監視点Ｂに同期メッセージを送信し、同期評価を行う；
先行する２つの監視点の評価結果の間を区別するため、アップストリーム監視点Ａにより求められた評価結果はアップストリーム評価結果と呼ばれ、ダウンストリーム監視点Ｂにより求められた評価結果はダウンストリーム評価結果と呼ばれる。
【００３２】
この実施形態におけるＩＰＴＶ障害を発見する方法によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【００３３】
実施形態２
図１は、本発明によるＩＰＴＶ障害を見つける方法の一実施形態を示すフローチャートである。本方法は、ダウンストリーム監視点により実行され得る。図１に示したように、本方法は次のステップを含む：
ステップ１０１：ダウンストリーム監視点はアップストリーム監視点により送信された同期メッセージを受信する。
【００３４】
同期メッセージは、同期パケット情報、評価方法、及び評価期間を含む。同期パケット情報は、同期パケットを一意的に特定する同期識別子を含む。同期パケットは、アップストリーム監視点により、監視されるＩＰＴＶビデオストリームから選択されたメディアパケットである。
【００３５】
同期パケット情報、評価方法、及び評価期間を説明するため、実施形態１の説明を参照する。
【００３６】
ステップ１０２：ダウンストリーム監視点は、同期メッセージによりＩＰＴＶメディアストリームに同期した評価を行い、ダウンストリーム評価結果を取得する。
【００３７】
ダウンストリーム評価結果は、同期メッセージに応じてＩＰＴＶビデオストリームに対してダウンストリーム監視点により行われた評価から得られるものであるが、同期パケットを始めとし、評価結果は、その結果を一意的に特定する評価結果識別子を有する。各評価結果は一評価期間に対応する。
【００３８】
ビデオ品質評価値に加え、評価結果は、さらに、対応する評価範囲内のパケットに関する情報と、その範囲内の各パケットの遅延とを含む。パケットに関する情報は、例えばその範囲内のパケットのパケット属性値であり、その範囲内の最初のパケットと最後のパケットのパケット属性値である。ここで、評価範囲は、その評価の最初の評価パケットから最後の評価パケットまでの範囲を言う。同期パケットの同期識別子と同様の選択方法で、パケットの属性値を用いてそのパケットを一意的に特定できる。アップストリーム監視点または監視センタにより、パケット属性値を用いて、アップストリーム監視点の評価範囲内のパケットの情報を、例えばパケット属性値を、ダウンストリーム監視点のそれと比較して、アップストリーム監視点とダウンストリーム監視点との間に動機がインプリメントされているか判断できるようにする。
【００３９】
さらにまた、ビデオの劣化理由を取得するため、評価結果は、対応するアプリケーションレイヤインジケータを、例えばＩフレームやＰフレームのダメージレートを含む。
【００４０】
ステップ１０３：ダウンストリーム監視点は評価結果レポートメッセージを送信する。評価結果レポートメッセージにはダウンストリーム評価結果、評価結果識別子、及び動機パケット情報が含まれる。
【００４１】
評価結果レポートメッセージは、アップストリーム監視点または監視センタに送信され、アップストリーム監視点または監視センタはダウンストリーム評価結果をアップストリーム評価結果と比較する。
【００４２】
例えば、アップストリーム監視点は、同期パケット情報と評価結果識別子により、ダウンストリーム評価結果に対応するアップストリーム評価結果を見つけ、それを互いに比較する。この場合、評価結果は、ＩＰＴＶビデオストリームの同じ部分のアップストリーム監視点とダウンストリーム監視点により行われ、比較され、比較可能性を有する。アップストリーム評価結果に劣化が無いとき、またはアップストリーム評価結果の劣化度がダウンストリーム評価結果の劣化度より低いとき、アップストリーム監視点とダウンストリーム監視点との間で障害が発生したと判断される。
【００４３】
この実施形態におけるＩＰＴＶ障害を発見する方法によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【００４４】
実施形態３
図２は、本発明によるＩＰＴＶ障害を見つける方法の他の一実施形態を示すフローチャートである。本方法は、監視センタにより実行され得る。図２に示したように、本方法は次のステップを含む：
ステップ２０１：監視センタは、アップストリーム監視点により送信されたアップストリーム評価結果と同期パケット情報を受信し、ダウンストリーム監視点により送信された評価結果レポートメッセージを受信する。評価結果レポートメッセージは、ダウンストリーム評価結果、評価結果識別子、及び同期パケット情報を含む。
【００４５】
アップストリーム監視点は、監視されたＩＰＴＶビデオストリームを評価した後、取得したアップストリーム評価結果を監視センタに送信し、それと共に同期パケット情報を監視センタに送信する。同期パケット情報とアップストリーム評価結果が監視センタに送信される順序に制限はない。例えば、まず同期パケット情報が監視センタに送信され、次にアップストリーム評価結果が送信されてもよいし、またはそれらが同時に送信されてもよい。同期パケット情報は、同期パケットを一意的に特定する同期識別子を含む。ここで、同期パケットは、アップストリーム監視点により、監視されたＩＰＴＶビデオストリームのメディアパケットから選択され、同期メッセージは評価方法と評価期間も含む。
【００４６】
また、アップストリーム監視点により送信された同期メッセージを受信した後、ダウンストリーム監視点は、その同期メッセージにより、ＩＰＴＶビデオストリームに同期評価を行った後、ダウンストリーム評価結果を取得する。ダウンストリーム監視点は、監視センタに評価結果レポートメッセージを送信する。評価結果レポートメッセージは、ダウンストリーム評価結果と、そのダウンストリーム評価結果を一意的に特定する評価結果識別子と、同期パケット情報とを担う。
【００４７】
ステップ２０２：監視センタは、アップストリーム評価結果をダウンストリーム評価結果と比較して、ＩＰＴＶ障害発見（locating）を行う。
【００４８】
監視センタは、ダウンストリーム監視点により送信された評価結果レポートメッセージ中の同期パケット情報と評価結果識別子とにより、ダウンストリーム評価結果に対応するアップストリーム評価結果を発見する；
そして、アップストリーム評価結果をダウンストリーム評価結果と比較する。アップストリーム評価結果に劣化が無いとき、またはアップストリーム評価結果の劣化度がダウンストリーム評価結果の劣化度より低いとき、アップストリーム監視点とダウンストリーム監視点との間で障害が発生したと判断できる。
【００４９】
この実施形態におけるＩＰＴＶ障害を発見する方法によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【００５０】
実施形態４
図３は、本発明によるＩＰＴＶ障害を見つける方法のさらに他の一実施形態を示すフローチャートである。アップストリーム監視点と、ＩＰＴＶビデオストリームの伝送経路中のダウンストリーム監視点と、及び監視センタが含まれていることを一例として、この実施形態は、本発明において、ＩＰＴＶフォールトを発見する方法に関するより詳細な説明を与える。この実施形態におけるＩＰＴＶフォールトを発見する方法は分散ロケーティング方法であり、ＩＰＴＶロケーティング（locating）はアップストリーム監視点によりなされる。図３に示したように、本方法は次のステップを含む：
ステップ３０１：アップストリーム監視点は、監視されたＩＰＴＶビデオストリームから同期パケットを選択する。
【００５１】
同期パケットは、アップストリーム監視点により、ＩＰＴＶビデオストリームから選択される。同期パケットの選択中、選択された同期パケットはＩＰＴＶビデオストリームにおいて一意性を有するものでなければならない。
【００５２】
例えば、ビデオを担う異なる方法を一例として、このステップにおいて同期パケットを選択する方法を説明する：ＩＰＴＶビデオストリームがリアルタイムトランスポートプロトコル（ＲＴＰ）で担われている場合、ＲＴＰシーケンス番号が選択標準として選択され、ビデオストリーム中の異なるパケットが異なるＲＴＰシーケンス番号を有し、ＲＴＰパケットがビデオストリームからの同期パケットとして選択され、ＲＴＰシーケンス番号が同期パケットの同期識別子としてとられ、同期識別子は同期パケットを一意的に特定するのに用いられる；
ビデオが非ＲＴＰメディアパケットにより担われているが、非ＲＴＰメディアパケットがＲＴＰシーケンス番号と同様の機能を有するフィールドを有する場合、そのフィールドは、例えばＴＣＰで直接伝送されたメディアパケットの選択標準と考えられ、ＴＣＰパケットのシーケンス番号を用いて同期パケットを規定し、シーケンス番号は同期識別子と考えられる；
ビデオが非ＲＴＰメディアパケットに担われ、メディアパケットがＲＴＰシーケンス番号と同様の機能を有する関連フィールドを有さない場合、同期パケットは、メディアパケット全体の特性またはカプセル化されたメディアコンテンツの特性により決定され、メディアパケットのＣＲＣ（cyclic  redundancy  check）コードのチェック値またはハッシュ値などが計算され、同期パケットがその計算から得られた値を用いて規定され、その計算から得られた値が同期識別子とされ、または同期パケットがメディアパケットにカプセル化された（もしあれば）クロック値などにより規定される。
【００５３】
ＩＰＴＶビデオストリームから選択されるメディアパケットが一意的に特定できる限り、同期パケットを選択する方法は柔軟であり可変である。同期パケットと同期識別子はいっしょに同期パケット情報を形成してもよいし、または同期パケット情報は、ダウンストリーム監視点が同期識別子によりＩＰＴＶビデオストリーム中の対応同期パケットを発見できる限り、同期識別子のみを含んでいてもよい。
【００５４】
ステップ３０２：アップストリーム監視点は、評価方法と評価期間とを決定する。ここで評価方法と評価期間は、同期パケット情報とともに、同期メッセージを形成する。
【００５５】
「評価方法」は、同期パケットに基づく評価方法を指し、使用中の評価アルゴリズムにより決定される。例えば、フレームをスコアリング粒度とするビデオの平均オピニオン評点（ＭＯＳＶ）アルゴリズムを、評価点と組み合わせて評価に用いる場合、（評価期間が１０ｓであるとすると）、評価方法は次のように規定される：同期パケットを始めとして、前の評価期間が終了した後、最初に満たされたキーフレームから評価を始め、最初の評価期間の評価結果をこの同期の最初の評価結果とする。すなわち、一評価結果は一評価期間に対応し、複数の評価結果ではなく、評価粒度（フレームやグループオブピクチャ（ＧＯＰ）など）により与えられる、一評価期間内の全体的な評価結果値である。
【００５６】
また、「評価期間」も評価アルゴリズムにより決定される。例えば、時間は評価期間を設定する単位とされ、ＧＯＰは評価期間を設定する単位とされる。
【００５７】
ステップ３０１の同期パケット情報と、このステップの評価方法と評価期間とは一緒に同期メッセージを形成する。ここで、同期メッセージによりダウンストリーム監視点とアップストリーム監視点は、評価を行うために同じ評価対象を選択でき、それによりダウンストリーム監視点とアップストリーム監視点間の同期評価をインプリメントできる。
【００５８】
ステップ３０３：アップストリーム監視点はダウンストリーム監視点に同期メッセージを送信する。
【００５９】
同期メッセージは図４または図５に示した２つの方法で送信できる。図４は、本発明によるＩＰＴＶ障害を見つける方法の一実施形態における同期メッセージを送信する方法を示す図である。図５は、本発明によるＩＰＴＶ障害を見つける方法の一実施形態における同期メッセージを送信する他の方法を示す図である。
【００６０】
例えば、図４に示したように、アップストリーム監視点は監視センタに同期メッセージを送信し、監視センタはその同期メッセージを他のダウンストリーム監視点に送信し、ダウンストリーム監視点がその同期メッセージにより、同期された評価を行えるようにする。
【００６１】
代替的に、例えば、図５に示したように、アップストリーム監視点はダウンストリーム監視点に直接同期メッセージを送信する。この方法により、アップストリーム監視点はダウンストリームにどの監視点があるか予め知っておく必要があり、これはマニュアル設定でインプリメントでき、監視センタから取得することもできる。
【００６２】
この実施形態では、同期メッセージを定期的に送信して、各監視点間のリアルタイム評価の整合性を確保する必要がある。同期メッセージを送信する期間は、評価アルゴリズムの特性と実際の条件とにより決められ、動的に調整されてもよい。例えば、同期する期間は３０分ごとに同期されてもよい。
【００６３】
ステップ３０４：ダウンストリーム監視点はアップストリーム監視点に同期応答メッセージを送信する。
【００６４】
ダウンストリーム監視点は、アップストリーム監視点の同期メッセ―ジを受信した後、アップストリーム監視点に同期応答メッセージを送信する必要がある。ここで、同期応答メッセージは、少なくとも、同期パケット情報と初期評価パケット情報を含まねばならない。初期評価パケット情報は、少なくとも、初期評価パケットのパケット識別子を含み、パケット識別子はダウンストリーム監視点がどのパケットから評価を開始するか特定するのに用いられる。ダウンストリーム監視点は、同期パケット情報、評価方法、及び評価期間によりＩＰＴＶビデオストリームから初期評価パケットを取得できる。例えば、実施形態１で説明したように、評価方法は、同期パケットを最初として、先行する評価期間が終わってから最初に来るキーフレームで評価を始め、これに基づき、ダウンストリーム監視点は最初のキーフレームを取得できる。キーフレームは最初の評価パケットである。同期パケットのパケット識別子は同期パケットの同期識別子を決定するのと同様の方法で決定される。
【００６５】
ダウンストリーム監視点は、初期評価パケット情報を取得した後、アップストリーム監視点のＩＰＴＶヘッドエンド監視点に同期応答メッセージを送信し、ダウンストリーム監視点が本当に同期しているかＩＰＴＶヘッドエンド監視点が同期応答メッセージにより判断できるようにする。
【００６６】
図８は、本発明によるＩＰＴＶ障害を見つける方法の一実施形態における同期応答を示す図である。図８に示すように、同期応答中の同期パケット情報は、点線で示した同期パケットに関する情報である。例えば、この情報は同期パケットの同期識別子であってもよく、同期パケットは識別子＃ｋ＋１を有するパケットである；同期応答中の初期評価パケット情報は、点線で示した初期評価パケットの情報であり、この情報は初期評価パケットのパケット識別子であり、初期評価パケットは識別子＃ｋ＋６を有するパケットである。ステップ３０２の評価方法を一例として、初期評価パケットは、同期パケット後の最初のキーフレームが見つかったパケットであり、図６の評価結果＃１中の初期評価パケットとも等しい。初期評価パケット情報を用いて同期が本当にインプリメントされたか確認する。例えば、アップストリーム監視点とダウンストリーム監視点は、両方とも同じ同期メッセージによりビデオ品質の評価を行い、アップストリーム監視点の同期パケットと初期評価パケットがそれぞれダウンストリーム監視点の同期パケットと初期評価パケットと一貫していれば、それらの間で同期はインプリメントされている；同期パケットと初期評価パケットが一貫していない場合、または設定時間が経過する前に応答情報を受信しない場合、再度同期が行われる。
【００６７】
例えば、アップストリーム監視点は、受信した、ダウンストリーム監視点の同期パケット情報及び初期評価パケット情報を、ローカルの同期パケット情報及び初期評価パケット情報（すなわち、アップストリーム監視点の同期パケット情報及び初期評価パケット情報）とそれぞれ比較して、それらが一貫しているか判断する；
ＹＥＳなら、これはアップストリーム監視点とダウンストリーム監視点との間で同期がすでにインプリメントされていることを示し、それらの評価結果がその後比較される；ＮＯなら、これはアップストリーム監視点とダウンストリーム監視点との間に同期がまだインプリメントされていないことを示し、新しい同期メッセージがダウンストリーム監視点に送信される。ここで、新しい同期メッセージは新しい評価方法を含む。
【００６８】
アップストリーム監視点により再送される新しい同期メッセージ中の評価方法に、対応する変更がなされ、それにより、同期プロセスが完了していても実際の評価が同期していないというエラーの発生が防止される。例えば、ステップ３０２の評価方法を一例とする；この場合、「先行評価期間」を参照すべきではなく、同期を完了させられる標準を選択すべきであり、評価方法は次のように規定できる：同期パケットを始めとして、最初のキーフレームから評価を始め、評価結果をこの同期の最初の評価結果とする。
【００６９】
また、同期応答メッセージは、ダウンストリーム監視点によりアップストリーム監視点に直接送信され、または監視センタにより転送される。同期応答メッセージは、ダウンストリーム監視点により監視センタにも送信される。また、アップストリーム評価結果は、アップストリーム監視点により送信され監視センタにより受信されるが、初期評価パケット情報も含む。監視センタは、アップストリーム監視点の同期パケット情報及び初期評価パケット情報を、ダウンストリーム監視点のそれとそれぞれ比較して、それらが一貫するか判断し、一貫していない場合、アップストリーム監視点に、新しい同期メッセージを再送信するように命令する。ここで、新しい同期メッセージは新しい評価方法を含む。
【００７０】
アップストリーム監視点のＩＰＴＶヘッドエンド監視点は、同期応答メッセージの処理を実行する。ＩＰＴＶヘッドエンド監視点は、同期していない監視点が他の監視点と同期できるようにするため、新しい同期メッセージをダウンストリーム監視点の一に送信する。それゆえ、他の監視点の同期メッセージは変更を要せず、新しい同期メッセージは同期していない監視点にのみ送信すればよい。
【００７１】
ステップ３０５：ダウンストリーム監視点は同期メッセージにより同期された評価を行う。
【００７２】
アップストリーム監視点により送信された同期メッセージを受信する前に、ダウンストリーム監視点は、そのデフォルトの評価ルールによりビデオ品質の評価を行える。ダウンストリーム監視点は、同期メッセージを受信後、同期メッセージにより、アップストリーム監視点と同期した評価を行い、同期メッセージにより決定される評価方法を用いて、ビデオ品質の評価を行う。
【００７３】
例えば、ステップ３０２に規定された評価方法が、「同期パケットから始めて、先行する評価期間が終わった後の最初のキーフレームから評価を始め、最初の評価期間の評価結果をこの同期の最初の評価結果とする」である場合、これに基づき、ダウンストリーム監視点は、同期識別子により対応する同期パケットを見つけ、その同期パケットから始めて、最初のキーフレーム（このフレームがあるパケットは初期評価パケットと呼ばれる）で評価を開始し、各評価期間が終わると対応する評価結果を取得し、評価結果に付番する。ここで、評価結果はダウンストリーム評価結果と呼ばれ、評価結果の番号は評価結果識別子と呼ばれ、評価結果を一意的に決定するのに用いられる。
【００７４】
図６を参照するに、図６は本発明によるＩＰＴＶ障害を見つける方法の一実施形態における評価結果配信を示す図である。同期メッセージが周期的に送信されるので、「同期パケットＸ」から始め、「評価結果＃１ないし＃Ｎ」を含む評価プロセスであり、この評価プロセスは同期パケットＸを含む同期メッセージにより実行される同期された評価に対応する；「同期パケットＹ」から始め、「評価結果＃１ないし＃Ｎ」を含む他の評価プロセスであり、この評価プロセスは同期パケットＹを含む同期メッセージにより実行される同期された評価に対応する。各評価結果は、ＩＰＴＶビデオストリームの評価期間内に全体的評価結果値に対応する；すなわち、Ｎ評価期間の評価は各評価プロセスで行われる。
【００７５】
図７を参照する。図７は、本発明によるＩＰＴＶ障害を見つける方法の一実施形態における評価結果を示す図である。評価結果は、ビデオ品質評価値に加え、フォールトロケーティング（fault  locating）をインプリメントするために、対応する評価レンジ内に、（各パケットの属性値や遅延などの）パケットに関する情報をさらに含む。評価レンジは、評価の初期評価パケットとその評価の最終評価パケットにより形成されるパケットレンジを指し、図６の評価結果＃１中の初期評価パケットと最終評価パケットにより形成されるレンジ、または図６の評価結果＃６中の初期評価パケットと最終評価パケットにより形成されるレンジと同様である；すなわち、一評価レンジは一評価結果に対応する。評価結果は、評価レンジ内のすべてのパケットに行われる評価から得られる全体的な評価結果である。
【００７６】
図７に示したパケット（pkt）情報は、初期評価パケットから最終評価パケットまでの評価レンジ内のパケットに関する情報を指し、パケット属性値を含み得る。各パケット属性値は、パケットを一意的に特定するのに用いられ、例えばパケット属性値はパケット番号（図７の＃ｍや＃ｎなど）であってもよい。パケット属性値は、同期パケットの同期識別子を選択するのと同様に選択され、パケットを一意的に特定できる限り、初期評価パケットのパケット属性値は初期評価パケットの識別子とされ得る。また、パケット情報は、評価レンジに対応した、（パケット損失レート、遅延、ジッタなどの）ネットワークレイヤインジケータなどをさらに含み得る。さらに、ビデオの劣化理由を取得するため、評価結果は、さらに、評価結果に対応したアプリケーションレイヤインジケータを含んでいてもよい。ここで、アプリケーションレイヤインジケータは、Ｉフレームの損失レート、Ｐフレームの損失レート、損失伝送レートなどのビデオ品質評価値に対応する評価パラメータであり得る。
【００７７】
ステップ３０６：ダウンストリーム監視点はアップストリーム監視点に評価結果レポートメッセージを送信する。
【００７８】
ダウンストリーム監視点は、ＩＰＴＶビデオストリームの評価が完了した後、評価結果レポートメッセージをアップストリーム監視点に送信する。ここで、評価結果レポートメッセージは、同期パケット情報、ダウンストリーム評価結果、及び評価結果識別子を含み得る。図９は、本発明によるＩＰＴＶ障害を見つける方法の一実施形態における評価結果レポートメッセージを示す図である。図９に示したように、一評価結果レポートメッセージは、一評価結果だけを含んでいても、複数の評価結果を同時に含んでいてもよい。評価結果レポートメッセージは、同期パケットＹ、ダウンストリーム評価結果＃ｋ、及び評価結果識別子（＃ｋまたは＃ｋ＋ｍなど）を含む。
【００７９】
このステップでは、取得したダウンストリーム評価結果中のビデオ品質評価値が設定された閾値より低く、フォールトロケーティング（fault  locating）を軌道する必要があることが分かると、ダウンストリーム監視点は、閾値より低いビデオ品質評価値と、評価結果識別子と、同期パケットとを評価結果レポートメッセージに担わせ、そのメッセージをアップストリーム監視点に送信する。留意点として、この実施形態の分散的発見方法（locating  method）により、ダウンストリーム監視点は、ダウンストリーム評価結果のビデオ品質評価値が設定された閾値より低く、ＩＰＴＶビデオストリームで障害が発生したことを示す場合にのみ、評価結果レポートメッセージをアップストリーム監視点に送信する；ビデオ品質評価値が設定閾値より低くない場合、評価結果レポートメッセージは送信されない。
【００８０】
評価結果レポートメッセージがアップストリーム監視点に送信される時、図１０または図１１に示す方法が用いられる。図１０は、本発明によるＩＰＴＶ障害を見つける方法の一実施形態における評価結果レポートメッセージを送信する方法を示す図である。図１１は、本発明によるＩＰＴＶ障害を見つける方法の一実施形態における評価結果レポートメッセージを送信する他の一方法を示す図である。図１０に示したように、ダウンストリーム監視点はアップストリーム監視点に直接評価結果レポートメッセージを送信し、評価結果レポートメッセージをアップストリーム監視点に送信しつつ、監視センタにさらに通知する。監視センタに通知する目的は、設定時間が経過する前にアップストリーム監視点が応答しない場合、アップストリーム監視点とダウンストリーム監視点との間の領域に障害があると直接決定できることである。あるいは、図１１に示したように、ダウンストリーム監視点は、評価結果レポートメッセージを関しセンタに転送できる。
【００８１】
ステップ３０７：アップストリーム監視点は評価結果によりフォールトロケーティングを実行する。
【００８２】
アップストリーム監視点は、ステップ３０６の評価結果レポートメッセージ中の同期パケットと評価結果識別子により対応するローカル評価結果を見つける。図１２を参照する。図１２は、本発明によるＩＰＴＶ障害を見つける方法の一実施形態における評価結果の比較を示す図である。アップストリーム監視点は、評価結果レポートメッセージ中の同期パケットＹによりローカル評価プロセス中の同期パケットＹを発見し、評価結果識別子＃ｋにより、同期パケットＹを始めとする評価結果＃ｋを発見する。２つの評価結果＃ｋは、ビデオストリーム中の同じオブジェクトに対してアップストリーム及びダウンストリーム監視点により行われた評価から取得される。
【００８３】
この実施形態では、評価結果＃ｋを見つけた後、アップストリーム監視点は、２つの評価結果に対応する評価レンジが一貫しているか最初に判断する。具体的に、ローカル評価結果＃ｋに対応する評価結果と評価結果レポートメッセージ中の評価結果＃ｋに対応する評価結果とが一貫しているか、評価レンジ内のパケットに関する情報により、例えばパケット属性値により、判断できる。ＹＥＳであれば、２つの評価結果を比較するプロセスが行われる。ＮＯであれば、これはアップストリーム評価レンジとダウンストリーム評価レンジとの間にミスマッチが発生したことを示し、この場合には、評価結果値は参照としてのみ用い、フォールトロケーティングには用いられない；また、ダウンストリーム評価レンジに対応するネットワークレイヤインジケータ（パケット損失、遅延、ジッタなど）により障害（fault）が発見（locate）できる。具体的には、ダウンストリーム評価結果の評価レンジ内のネットワークレイヤインジケータを、対応するローカル評価レンジ内のネットワークレイヤインジケータと比較して、ＩＰＴＶ障害を発見する。発見プロセスが終了した後、再び同期が行われる。
【００８４】
具体的には、アップストリームとダウンストリームの評価結果を比較するプロセスを示す図１３を参照する。図１３は、本発明による、ＩＰＴＶ障害を発見する方法の一実施形態における、評価レンジが一貫している場合に、障害を発見する方法を示すフローチャートである。ここで、比較する評価結果は、評価アルゴリズムに基づく計算から得られたビデオ品質評価結果である。次の３つの主要条件が含まれる：
対応する、ローカル（ここでローカルとはアップストリーム監視点を指す）のアップストリーム評価結果とダウンストリーム評価結果とが同じでない場合、ローカルアップストリーム評価結果には劣化は生じていない。これは、ローカルデバイスとダウンストリーム監視点にあるデバイスとの間に障害（デバイスの障害またはリンクの障害である）があることを示し、アップストリーム監視点は、監視センタに、障害領域と、障害により生じるアプリケーションレイヤにおける現象（例えば、ビデオの劣化度合い）と、ネットワークレイヤにおける現象（パケット損失、遅延、ジッタなど）とを直接レポートする；
ローカルアップストリーム評価結果とダウンストリーム評価結果が同じではなく、ローカルアップストリーム評価結果には劣化が生じているが、ローカルアップストリーム評価結果の劣化程度がダウンストリ―ム監視点のダウンストリーム評価結果のそれより低く、閾値より低くない場合、これはローカルとダウンストリーム監視点との間の領域における障害の集積により、ダウンストリーム評価結果のビデオ品質評価結果が閾値より低くなったことを示す；
この場合、ローカル監視点は、障害領域とそれに対応する障害現象を、例えばアプリケーションレイヤビデオの相対的劣化程度、ネットワークレイヤパケット損失、遅延、及びジッタを、監視センタに報告する；ローカルアップストリーム評価結果のビデオ品質評価値が閾値より低く、評価結果の評価結果レポートメッセージが事前にアップストリーム監視点に送信されていなければ、評価結果レポートメッセージがローカルアップストリーム監視点に送信され、監視センタに通知される；評価結果レポートメッセージがローカルアップストリーム監視点にすでに送信されている場合、再送は必要ない；ローカルアップストリーム評価結果のビデオ品質評価値が閾値より高いが劣化があるとき、アップストリーム監視点に評価結果レポートメッセージの形式でローカルの結果を送信し、これにより、ローカルとローカルアップストリーム監視点との間に障害があるか、ローカルアップストリーム監視点が判断できるようにする必要がある；
ローカルアップストリーム評価結果値とダウンストリーム評価結果値とが同じである場合、これはローカルデバイスとダウンストリーム監視点にあるデバイスとの間に障害が無いことを示すので、評価結果の評価結果レポートメッセージがローカルアップストリーム監視点にすでに送信されているか、ローカルでチェックする；ＹＥＳであれば、再送は必要ない；そうでなければ、ローカル評価結果を同様にローカルアップストリーム監視点に送信する必要があり、監視センタに通知し、これにより、ローカルとローカルアップストリーム監視点との間に障害があるか、ローカルアップストリーム監視点が判断するようにする。
【００８５】
具体的、図１４は、本発明によるＩＰＴＶ障害を見つける方法の一実施形態における、評価レンジが一致しないとき、障害を見つける方法を示すフローチャートである。図１４に示したように、アップストリーム評価レンジとダウンストリーム評価レンジとの間にミスマッチが発生した場合、評価結果に対応するビデオ品質評価値を用いて障害発見（fault  locating）できない。この場合、失われたパケットのシーケンス番号やパケット遅延などのネットワークレイヤインジケータにより障害発見をする必要がある。これらのネットワークレイヤインジケータはダウンストリーム評価結果に担われる。
【００８６】
例えば、評価レンジ間にミスマッチが生じた場合、ローカル監視点の評価結果に対応する評価レンジ内のネットワークレイヤインジケータがダウンストリーム監視点の評価結果に対応するインジケータと一貫しているか判断する。ローカル監視点の評価結果に対応する評価レンジ内のネットワークレイヤインジケータがダウンストリーム監視点の評価結果に対応するインジケータと一貫しているとき、これはローカル監視点とダウンストリーム監視点との間に障害があることを示すので、対応する評価結果の評価結果レポートメッセージがローカルアップストリーム監視点にすでに送信されたかローカルでチェックする；
ＹＥＳであれば、再送は必要ない；そうでなければ、ダウンストリーム監視点の評価結果レポートメッセージは複製されローカルアップストリーム監視点に送られ、監視センタは通知され、ローカルとローカルアップストリーム監視点との間に障害があるか、ローカルアップストリーム監視点が比較により判断するようにする。
【００８７】
ローカル評価結果に対応する評価レンジ内のネットワークレイヤインジケータがダウンストリーム監視点の評価結果に対応するインジケータと一貫しておらず、ローカルネットワークレイヤインジケータに劣化が無い場合、これはローカルデバイスとダウンストリーム監視点にあるデバイスとの間に障害があることを示し、ローカル監視点は監視センタにローカルとダウンストリーム監視点との間にある障害と、その障害により生じたアプリケーションレイヤの現象（例えば、ビデオ劣化程度など）及びネットワークレイヤの現象（例えば、パケットロス、遅延、及びジッタ）を報告する。
【００８８】
ローカル監視点の評価結果に対応する評価レンジ内のネットワークレイヤインジケータがダウンストリーム監視点の評価結果に対応するインジケータと一貫せず、ローカルネットワークレイヤインジケータに障害があるが、ダメージの程度がダウンストリーム監視点の劣化程度より低い場合、これはローカルとダウンストリーム監視点との間の領域における障害の集積により、ダウンストリームのネットワークレイヤインジケータが閾値より低くなったことを示す。この場合、対応する評価結果の評価結果レポートメッセージがアップストリーム監視点に送信されていなければ、評価結果レポートメッセージはローカルアップストリーム監視点に送信され、監視センタはローカルとダウンストリーム監視点との間にある障害について通知される；評価結果レポートメッセージがローカルアップストリーム監視点にすでに送信されている場合、再送は必要ない。
【００８９】
この実施形態におけるＩＰＴＶ障害を発見する方法によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【００９０】
実施形態５
図１５は、本発明によるＩＰＴＶ障害を見つける方法のさらに他の一実施形態を示すフローチャートである。図１６は、本発明によるＩＰＴＶ障害を見つける方法のさらに他の一実施形態における集中障害発見を示す図である。この実施形態は、図３に示した実施形態と次の点で異なる：この実施形態においてＩＰＴＶ障害を発見（locating）する方法において、集中発見方法を用いて、ＩＰＴＶ障害発見は監視センタにより行われる。
【００９１】
この実施形態は、集中的方法が分散的方法と異なる部分について詳細に説明する。分散的方法のステップと同じその他のステップは、簡単に説明し、分散的方法の実施形態を参照する。図１５及び図１６の両方に示したように、本方法は次のステップを含む：
ステップ１５０１：アップストリーム監視点は、監視されたＩＰＴＶビデオストリームから同期パケットを選択する。
【００９２】
ステップ１５０２：アップストリーム監視点は、同期パケットを一意的に特定する同期識別子と、その同期識別子を含む同期パケット情報とを決定し、さらに、評価方法と評価期間とを決定する。ここで、評価方法と評価期間と同期パケット情報とは全体で同期メッセージを形成する。
【００９３】
ステップ１５０３：アップストリーム監視点はダウンストリーム監視点に同期メッセージを送信する。
【００９４】
アップストリーム監視点は、監視センタを経由してダウンストリーム監視点に同期メッセージを転送する。このステップにおいて、監視センタは、後で同期メッセージにより障害発見（fault  locating）を実行できるように、同期メッセージを記憶してもよい。
【００９５】
ステップ１５０４：ダウンストリーム監視点は監視センタに同期応答メッセージを送信する。
【００９６】
ステップ１５０５：ダウンストリーム監視点は同期メッセージにより同期された評価を行う。
【００９７】
このステップでは、ダウンストリーム監視点が監視センタまたはアップストリーム監視点に同期応答メッセージを送信する。同期応答メッセージが監視センタに送信されたとき、監視センタは、アップストリーム監視点により送信された同期パケット情報と初期評価パケット情報とを受信して、アップストリーム監視点の同期パケット情報と初期評価パケット情報を、ダウンストリーム監視点のそれと比較して、アップストリーム監視点の同期パケットと初期評価パケットがダウンストリーム監視点のそれと一貫しているか判断する必要がある。
【００９８】
一貫していなければ、監視センタは、アップストリーム監視点がダウンストリーム監視点に新しい同期メッセージを送信するように、アップストリーム監視点に通知する。ここで、新しい同期メッセージは新しい評価方法を含む。
【００９９】
ステップ１５０６：ダウンストリーム監視点は監視センタに評価結果レポートメッセージを送信する。
【０１００】
分散的方法では、障害発見はアップストリーム監視点で実行されるので、評価結果レポートメッセージは最終的にアップストリーム監視点に送信される。一方、この実施形態では、障害発見は監視センタにより行われるので、評価結果レポートメッセージは監視センタに送信する必要がある。
【０１０１】
留意点として、この実施形態の分散発見方法（locating  method）により、ダウンストリーム監視点は、ダウンストリーム評価結果のビデオ品質評価値が設定された閾値より低く、ＩＰＴＶビデオストリームで障害が発生したことを示す場合にのみ、評価結果レポートメッセージをアップストリーム監視点に送信する。ビデオ品質評価値が設定閾値より低くない場合、評価結果レポートメッセージは送信されない；一方、アップストリーム監視点は、そのビデオ品質評価値が閾値より低くても、評価結果を取得した後、評価結果を監視センタに送信する。これは、アップストリーム監視点のアップストリーム評価結果が閾値より低く無くても、アップストリーム評価結果をダウンストリーム評価結果と比較することにより、障害箇所を発見（locate）できるからである。すなわち、障害は間違いなくアップストリーム監視点とダウンストリーム監視点との間で生じている。
【０１０２】
この実施形態では、監視センタは、さらに、アップストリーム監視点の評価結果をダウンストリーム監視点の評価結果と比較するように、アップストリーム監視点により送信されたアップストリーム評価結果と同期パケット情報を受信する。
【０１０３】
ダウンストリーム評価結果は、評価結果レポートメッセージに担われる。ここで、評価結果レポートメッセージは、同期パケット情報と、ダウンストリーム評価結果を一意的に特定するのに用いられる評価結果識別子とを含む。
【０１０４】
ステップ１５０７：監視センタは評価結果により障害発見（fault  locating）を実行する。
【０１０５】
監視センタは、ある監視点により送信された評価結果が設定された閾値より低く、障害発見を起動する必要があることをディスカバすると、同期パケットと評価結果数により、アップストリーム監視点に対応する評価結果を見つける。
【０１０６】
具体的に、監視センタは、アップストリーム監視点により送信された評価結果レポートメッセージから、ダウンストリーム監視点により送信された評価結果レポートメッセージ中の同期パケット情報と評価結果識別子とにより、ダウンストリーム評価結果に対応するアップストリーム評価結果を見つける。監視センタは、さらに、見つかった対応するアップストリームとダウンストリームの評価結果に対して、評価結果に対応する評価レンジ内のパケットに関する情報により、ダウンストリーム監視点の評価レンジがアップストリーム監視点の評価レンジと一貫するか判断する。
【０１０７】
ＹＥＳであれば、アップストリーム評価結果とダウンストリーム評価結果を比較して障害を発見（locate）する。例えば、アップストリーム評価結果に劣化が無いとき、またはアップストリーム評価結果の劣化度がダウンストリーム評価結果の劣化度より低いとき、アップストリーム監視点とダウンストリーム監視点との間で障害が発生したと判断される。
【０１０８】
ＮＯであれば、監視センタは、ダウンストリーム評価結果の評価レンジ内のネットワークレイヤインジケータを、アップストリーム監視点の対応する評価レンジ内のネットワークレイヤインジケータと比較して、ＩＰＴＶ障害の箇所を決定する。
【０１０９】
この実施形態におけるＩＰＴＶ障害を発見する方法によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【０１１０】
実施形態６
図１７は、本発明によるＩＰＴＶ障害を見つける装置の一実施形態を示す構造図である。この実施形態の装置は、アップストリーム監視点または監視センタであってもよく、本発明の実施形態による障害発見方法を実行できる。この実施形態は、本装置の構造に関する簡単な説明を与える。作業原理として、本発明の方法の実施形態の説明を参照する。
【０１１１】
図１７に示したように、本装置は：同期評価器１７０１、評価結果受信器１７０２、評価結果問合器１７０３、及び障害発見器１７０４を含む。
【０１１２】
同期評価器１７０１は、複数のアップストリーム評価結果を取得するように構成されている。アップストリーム評価結果は、監視されるＩＰＴＶビデオストリームにアップストリーム監視点により同期メッセージにより実行される同期評価から得られる。同期メッセージは、同期パケット情報、評価方法、及び評価期間を含む。同期パケット情報は、同期パケットを一意的に特定する同期識別子を含み、同期パケットはＩＰＴＶビデオから選択したメディアパケットである。
【０１１３】
例えば、この実施形態の障害発見装置は、分散発見方法におけるＩＰＴＶビデオストリームの送信経路に配置された監視点であり、監視点自体はＩＰＴＶビデオストリームに評価を行い、アップストリーム評価結果を取得する。
【０１１４】
例えば、この実施形態の障害発見装置は、集中的発見方法における監視センタであり、監視センタは、ＩＰＴＶビデオストリームの伝送経路に配置された監視点からアップストリーム評価結果を取得し、アップストリーム監視点は、自機により行われた評価から得られたアップストリーム評価結果を監視センタに送信する。
【０１１５】
評価結果受信器１７０２は、ダウンストリーム監視点により送信された評価結果レポートメッセージを受信するように構成され、評価結果レポートメッセージは、ダウンストリーム評価結果と評価結果識別子と同期パケット情報とを含む。
【０１１６】
評価結果問合器１７０３は、ダウンストリーム監視点により送信された評価結果レポートメッセージ中の同期パケット情報と評価結果識別子とにより、ダウンストリーム評価結果に対応するアップストリーム評価結果を見つけるように構成されている。
【０１１７】
障害発見器１７０４は、ダウンストリーム評価結果をアップストリーム評価結果と比較して、その比較結果により障害発見を実行するように構成されている。
【０１１８】
この実施形態におけるＩＰＴＶ障害を発見する装置によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【０１１９】
実施形態７
図１８は、本発明の他の一実施形態によるＩＰＴＶ障害を見つける装置の他の一実施形態を示す構造図である。この実施形態の装置は、アップストリーム監視点であってもよく、本発明の実施形態による障害発見方法を実行できる。この実施形態は、本装置の構造に関する簡単な説明を与える。作業原理として、本発明の方法の実施形態の説明を参照する。
【０１２０】
この実施形態では、アップストリーム監視点は、ＩＰＴＶヘッドエンド監視点と、ＩＰＴＶヘッドエンド監視点以外の監視点とを含む。したがって、図１８に示したように、この実施形態のアップストリーム監視点の構成には２つの構成パターンがある。
【０１２１】
例えば、本装置がＩＰＴＶビデオストリームの伝送経路中のＩＰＴＶヘッドエンド監視点以外のアップストリーム監視点である場合、本装置中の同期評価器１７０１は、監視されるＩＰＴＶビデオストリームに同期メッセージにより同期評価が行われる前に、ＩＰＴＶビデオストリームのＩＰＴＶヘッドエンド監視点により送信された同期メッセージを受信するように構成され、ＩＰＴＶヘッドエンド監視点はＩＰＴＶビデオストリームが最初に通る監視点である。
例えば、本装置は、ＩＰＴＶビデオストリームの伝送経路中のＩＰＴＶヘッドエンド監視点であるとき、さらに同期メッセージセッタ１７０５を含む。
【０１２２】
同期メッセージセッタ１７０５は、同期パケットとして、ＩＰＴＶビデオストリームからメディアパケットを選択し、同期識別子と、その同期識別子を含む同期パケット情報とを決定するように構成され；評価方法、評価期間、及び同期メッセージを設定する。
【０１２３】
さらに、この実施形態のＩＰＴＶ障害発見装置は、ＩＰＴＶヘッドエンド監視点であるとき、さらに次のものを含む：ダウンストリーム監視点により送信された同期応答メッセージを受信するように構成された同期比較器１７０６。ここで、同期応答メッセージは初期評価パケット情報と同期パケット情報とを含む；同期パケット情報及び初期評価パケット情報を、それぞれローカルの同期パケット情報及び初期評価パケット情報と比較し、それらが一致するか判断する；同期パケット情報または初期評価パケット情報のいずれかが一致しないとき、ダウンストリーム監視点に新しい同期メッセージを送信し、ここで新しい同期メッセージは新しい評価方法を含む。
【０１２４】
さらに、ＩＰＴＶビデオストリームの伝送経路中のすべてのアップストリーム監視点に対して、この実施形態の障害発券機１７０４は具体的に次のように構成されている：障害発見の際、アップストリーム評価結果と比較してダウンストリーム評価結果に障害が発生している時、ローカル監視点とダウンストリーム監視点との間に障害が発生したと判断する。
【０１２５】
さらに、この実施形態の装置は、次のものを含む：レンジ決定器１７０９であって、評価レンジ中のパケットに関する情報により、ダウンストリーム監視点の評価レンジがローカル評価レンジと一貫しているか判断し；
ＹＥＳであれば、障害発見器に、ダウンストリーム評価結果中のビデオ品質評価値をアップストリーム評価結果中のビデオ品質評価値と比較するように命令し、ＮＯであれば、ダウンストリーム評価結果の評価レンジ内のネットワークレイヤインジケータを、ローカルアップストリーム評価結果の対応する評価レンジ内のネットワークレイヤインジケータと比較して、ＩＰＴＶ障害の箇所を決定するように構成されている。
【０１２６】
この実施形態におけるＩＰＴＶ障害を発見する装置によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【０１２７】
実施形態８
図１９は、本発明によるＩＰＴＶ障害を見つける装置のさらに他の一実施形態を示す構造図である。この実施形態の装置は、監視センタであってもよく、本発明の実施形態による障害発見方法を実行できる。この実施形態は、本装置の構造に関する簡単な説明を与える。作業原理として、本発明の方法の実施形態の説明を参照する。
【０１２８】
図１９に示し、図１７に示した構成に基づき、この実施形態の監視センタは、さらに、同期メッセージフォワーダ１７０７を含む。
【０１２９】
同期メッセージフォワーダ１７０７は、ＩＰＴＶビデオストリームのＩＰＴＶヘッドエンド監視点により送信された同期メッセージを受信した後、ダウンストリーム監視点に同期メッセージを送信するように構成されている。
【０１３０】
同期評価器１７０１は、アップストリーム監視点により送信されたアップストリーム評価結果と同期パケット情報とを受信するように構成されている。ここで、アップストリーム監視点はＩＰＴＶヘッドエンド監視点を含む。
【０１３１】
さらに、この実施形態の装置は、次のものを含む：レンジ決定器１７０９であって、評価レンジ中のパケットに関する情報により、ダウンストリーム監視点の評価レンジがローカル評価レンジと一貫しているか判断し；ＹＥＳであれば、障害発見器に、ダウンストリーム評価結果中のビデオ品質評価値をアップストリーム評価結果中のビデオ品質評価値と比較するように命令し；ＮＯであれば、ダウンストリーム評価結果の評価レンジ内のネットワークレイヤインジケータを、ローカルアップストリーム評価結果の対応する評価レンジ内のネットワークレイヤインジケータと比較して、ＩＰＴＶ障害の箇所を決定するように構成されている。
【０１３２】
この実施形態におけるＩＰＴＶ障害を発見する装置によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装できる。
【０１３３】
実施形態９
図２０は、本発明によるＩＰＴＶ障害を見つける装置のさらに他の一実施形態を示す構造図である。この実施形態の装置は、ダウンストリーム監視点であってもよく、本発明の実施形態による障害発見方法を実行できる。この実施形態は、本装置の構造に関する簡単な説明を与える。作業原理として、本発明の方法の実施形態の説明を参照する。
【０１３４】
図２０に示したように、本装置は：同期メッセージ受信器２００１と、同期評価器２００２と、評価結果レポータ２００３とを含む。
【０１３５】
同期メッセージ受信器２００１は、アップストリーム監視点または監視センタにより送信された同期メッセージを受信するように構成されている。ここで、同期メッセージは、同期パケット情報と評価方法と評価期間とを含む。同期パケット情報は、同期パケットを一意的に特定する同期識別子を含む。同期パケットは監視されたＩＰＴＶビデオストリームから選択されたメディアパケットである。
【０１３６】
同期評価器２００２は、同期メッセージにより、ＩＰＴＶビデオストリームに対して同期した評価を実行して、ダウンストリーム評価結果を取得するように構成されている。
【０１３７】
評価結果レポータ２００３は、アップストリーム監視点または監視センタに評価結果レポートを送信するように構成されている。ここで、評価結果レポートメッセージは、アップストリーム監視点または監視センタが、同期パケット情報と評価結果とにより、ダウンストリーム評価結果に対応するアップストリーム評価結果を見つけ、ダウンストリーム評価結果をアップストリーム評価結果と比較し、比較結果により障害発見を実行するように、ダウンストリーム評価結果と評価結果識別子と同期パケット情報とを含む。
【０１３８】
さらに、本装置は、同期応答送信器２００４を含んでもよい。同期応答送信器２００４は、監視センタまたはアップストリーム監視点のＩＰＴＶヘッドエンド監視点に同期応答メッセージを送信するように構成されている。ここで、同期応答メッセージは、ＩＰＴＶヘッドエンド監視点または監視センタが、同期パケット情報と初期評価パケット情報をアップストリーム監視点の同期パケット情報及び初期評価パケット情報とそれぞれ比較して、それらが一貫しているか判断するように、同期パケット情報と初期評価パケット情報とを含む。
【０１３９】
それらが一貫している時、同期メッセージ受信器２００１は、さらに、ＩＰＴＶヘッドエンド監視点により直接送信された、または監視センタにより転送された新しい同期メッセージを受信するように構成されている。ここで、新しい同期メッセージは新しい評価方法を含む。
【０１４０】
さらにまた、本装置の評価結果レポータ２００３は、監視センタが評価結果レポートメッセージをアップストリーム監視点に送信するように、監視センタに評価結果レポートメッセージを送信する;
または、アップストリーム監視点に直接、評価結果レポートメッセージを送信するように構成されている。
【０１４１】
さらにまた、本装置の評価結果レポータ２００３は、監視センタに評価結果レポートメッセージを送信し、アップストリーム監視点に直接評価結果レポートメッセージを送信するように構成されている。
【０１４２】
さらにまた、この装置の評価結果レポータ２００３は、評価結果レポートメッセージに、評価レンジ内のパケットに関する情報と、評価レンジ内のネットワークレイヤインジケータとを設定し、ここで、評価結果レポートメッセージは、アップストリーム監視点または監視センタに送信され、評価レンジ内のパケットに関する情報により、ローカル評価レンジがアップストリーム監視点の評価レンジと一貫しているか、アップストリーム監視点または監視センタが判断するようにする；ＹＥＳであれば、ダウンストリーム評価結果のビデオ品質評価値をアップストリーム評価結果のそれと比較し、ＮＯであれば、ダウンストリーム評価結果の評価レンジ内のネットワークレイヤインジケータを、アップストリーム監視点の対応する評価レンジ内のネットワークレイヤインジケータと比較して、ＩＰＴＶ障害の箇所を決定するように構成されている。
【０１４３】
この実施形態におけるＩＰＴＶ障害を発見する装置によれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装でき、人件費及び材料費を節約でき、障害発見の効率を向上できる。
【０１４４】
実施形態１０
図２１は、本発明によるＩＰＴＶ障害を見つけるシステムの一実施形態を示す構造図である。この実施形態のシステムは、本発明の実施形態の障害発見方法を実行する。この実施形態は、本システムの構造に関する簡単な説明を与える。作業原理として、本発明の方法の実施形態の説明を参照する。
【０１４５】
図２１に示したように、本システムは：評価発見装置２１０１とダウンストリーム監視点２１０２を含む。
【０１４６】
評価発見装置２１０１は、複数のアップストリーム評価結果を取得し、アップストリーム評価結果は、監視されるＩＰＴＶビデオストリームに対するアップストリーム監視点による同期メッセージにより実行される同期評価から得られる。同期メッセージは、同期パケット情報、評価方法、及び評価期間を含む。同期パケット情報は、同期パケットを一意的に特定する同期識別子を含み、同期パケットはＩＰＴＶビデオから選択したメディアパケットであり；ダウンストリーム監視点により送信された評価結果レポートメッセージを送信し、評価結果レポートメッセージにはダウンストリーム評価結果、評価結果識別子、及び動機パケット情報が含まれ、ダウンストリーム監視点により送信された評価結果レポートメッセージ中の同期パケット情報と評価結果識別子とにより、ダウンストリーム評価結果に対応するアップストリーム評価結果を発見し；ダウンストリーム評価結果をアップストリーム評価結果と比較し、比較結果により障害発見を行うように構成されている。
【０１４７】
例えば、この実施形態の障害発見システムが分散的発見方法で動作する場合、評価発見装置２１０１は、ＩＰＴＶビデオストリームの伝送経路中のアップストリーム監視点であってもよく；この実施形態の障害発見システムが集中的発見方法で動作する場合、評価発見装置２１０１は監視センタであってもよく、この場合、監視センタはＩＰＴＶビデオストリームの伝送経路中のアップストリーム監視点からアップストリーム評価結果を取得する。
【０１４８】
ダウンストリーム監視点２１０２は、同期メッセージを受信し、その同期メッセージにより、ＩＰＴＶビデオストリームに同期した評価を行ってダウンストリーム評価結果を取得し、アップストリーム監視点または監視センタに評価結果レポートメッセージを送信するように構成されている。
【０１４９】
この実施形態におけるＩＰＴＶ障害を発見するシステムによれば、同じメディアパケットのアップストリーム評価結果をダウンストリーム評価結果と比較することにより、アップストリーム監視点とダウンストリーム監視点との間の領域に障害があるか判断し、ＩＰＴＶ障害発見を実装でき、人件費及び材料費を節約でき、障害発見の効率を向上できる。
【０１５０】
当業者には言うまでもなく、便宜上かつ説明を簡明にするために、上記のシステム、装置、及びユニットの詳細な動作プロセスについて、方法の実施形態の対応するプロセスを参照し、詳細はここでは説明しない。
【０１５１】
本発明で提供される実施形態においては、言うまでもなく、開示のシステム、装置、及び方法は他のやり方で実施してもよい。例えば、開示の装置の実施形態は単なる例である。例えば、ユニットの分割は単なる論理的機能の分割であり、実際の実施では他の分割をしてもよい。例えば、複数のユニットやコンポーネントを他のシステムに結合しても集積してもよく、特徴の一部を無視しても実行しなくてもよい。また、表示又は説明した相互結合、直接結合、又は通信接続は、何らかのインタフェースを通じて実施してもよい。装置やユニット間の間接的な結合や通信接続は、電子的、機械的、又はその他の形式で実施できる。
【０１５２】
別々のパーツとして説明したユニットは、物理的に離れていてもいなくてもよく、ユニットとして表示したパーツは物理的なパーツであってもなくてもよく、一箇所にあっても、複数のネットワークユニットに分散していてもよい。一部又は全部のユニットは、実施形態のソリューションの目的を達成するために実際の必要性に応じて選択できる。
【０１５３】
また、本発明の実施形態の機能ユニットは、一処理ユニットに集積されてもよいし、各ユニットが物理的に孤立して存在しても良いし、２以上のユニットが一ユニットに集積されてもよい。集積ユニットはハードウェアの形式で実施してもよいし、ソフトウェアの機能ユニットの形式で実施してもよい。
【０１５４】
集積されたユニットは、ソフトウェアの機能ユニットの形式で実施され、独立の製品として販売され使用される時、コンピュータ読み取り可能記憶媒体中に格納されてもよい。かかる理解に基づき、本発明の技術的解決策は、又は先行技術に貢献する部分は、又は技術的解決策の一部は、ソフトウェア製品の形式で実施することができる。コンピュータソフトウェア製品は、記憶媒体に格納され、本発明の実施形態で説明した方法のステップの全部又は一部を実行するようにコンピュータ装置（例えば、パーソナルコンピュータ、サーバ、ネットワーク装置など）に命令する命令を含む。上記の記憶媒体には、次のものを含む：プログラムコードを格納できる任意の媒体であって、例えばＵＳＢフラッシュディスク、リムーバブルハードディスク、リードオンリメモリ（ＲＯＭ）、ランダムアクセスメモリ（ＲＡＭ）、磁気ディスク、又は光ディスクなど。
【０１５５】
当業者には言うまでもなく、本発明の実施形態の方法のステップの全部又は一部は、プログラムにより命令された関連ハードウェアにより実施してもよい。プログラムはコンピュータ読み取り可能記憶媒体に格納してもよい。プログラムが実行されると、前述の方法の実施形態のステップが実行される。上記の記憶媒体は、プログラムコードを記憶できる、ＲＯＭ、ＲＡＭ、磁気ディスク、光ディスクなどの任意の媒体を含む。
【０１５６】
最後に、言うまでもなく、上記の実施形態は、本発明を限定するものではなく、本発明の技術的ソリューションを説明することを意図したものである。本発明を上記の実施形態を参照して詳細に説明したが、本技術分野の当業者には言うまでもなく、本発明の実施形態の技術的解決策の精神と範囲から逸脱することなく、上記の実施形態で説明した技術的解決策を修正し、技術的解決策の技術的特徴を等価なもので置き換えることができる。
【図１】
0005969021.tif 000002
【図２】
0005969021.tif 000003
【図３】
0005969021.tif 000004
【図４】
0005969021.tif 000005
【図５】
0005969021.tif 000006
【図６】
0005969021.tif 000007
【図７】
0005969021.tif 000008
【図８】
0005969021.tif 000009
【図９】
0005969021.tif 000010
【図１０】
0005969021.tif 000011
【図１１】
0005969021.tif 000012
【図１２】
0005969021.tif 000013
【図１３】
0005969021.tif 000014
【図１４】
0005969021.tif 000015
【図１５】
0005969021.tif 000016
【図１６】
0005969021.tif 000017
【図１７】
0005969021.tif 000018
【図１８】
0005969021.tif 000019
【図１９】
0005969021.tif 000020
【図２０】
0005969021.tif 000021
【図２１】
0005969021.tif 000022